(57)【要約】【課題】保持対象となる容器形状に制限がなく、汎用性の向上を図ることができる水中加温処理用フロートを提供すること。【解決手段】水中加温処理用フロート１は、水面に浮上可能なフロート本体２と、該フロート本体２の厚さ方向に貫通して形成され液体収容容器６の外周部を挟持可能な孔部３と、前記フロート本体２の外周面２Ａから前記孔部３の内周面３Ａに向けて形成され前記液体収容容器６が通過可能に変形可能なスリット部４とを備える。【選択図】図１
2010227552.tif 000002
【特許請求の範囲】
【請求項１】
水面に浮上可能なフロート本体と、該フロート本体の厚さ方向に貫通して形成され液体収容容器の外周部を挟持可能な孔部と、前記フロート本体の外周面から前記孔部の内周面に向かって形成され前記液体収容容器が通過可能に変形可能なスリット部と、を備える水中加温処理用フロート。
【請求項２】
前記スリット部の幅は、前記フロート本体の外周面側から前記孔部の内周面側に向かって漸次狭くなっている請求項１に記載の水中加温処理用フロート。
【請求項３】
前記孔部及び前記スリット部は、前記フロート本体に複数形成されている請求項１又は２に記載の水中加温処理用フロート。
【請求項４】
前記フロート本体は、複数の円弧状の外周面部が周方向に連続して配列されて形成され、前記孔部及び前記スリット部は、周方向に隣接する前記外周面部の端部同士が接して形成される複数の入込部と前記フロート本体の中心部とを結ぶ位置にそれぞれ形成されている請求項２又は３に記載の水中加温処理用フロート。
【請求項５】
前記孔部は、前記入込部に接するように形成され、
前記スリット部は、前記フロート本体に外力が加えられていない状態において閉じている請求項４に記載の水中加温処理用フロート。
【請求項６】
前記外周面部は、隣り合う２つの前記入込部の中央に位置する頂部と前記フロート本体の中心部とを結ぶ線分が長径となる略楕円形状に形成される請求項５に記載の水中加温用フロート。
【請求項７】
前記フロート本体は、中心部を含む中央フロート部と該中央フロート部の外周に配置される外周フロート部とを備え、
前記外周フロート部は、複数の前記孔部及び複数の前記スリット部を有し、
前記中央フロート部は、前記中心部に形成された１つの前記孔部及び前記スリット部を有すると共に、前記外周フロート部に対して着脱可能に構成されている請求項１〜３のいずれかに記載の水中加温処理用フロート。
【請求項８】
直線状の分割面で分割された一対の分割フロート部により構成され水面に浮上可能なフロート本体と、
前記フロート本体における前記一対の分割フロート部の前記分割面が互いに当接した状態で該一対の分割フロート部同士を結合及び分離可能とする分割フロート部結合分離部と、
前記一対の分割フロート部それぞれの前記分割面に前記フロート本体の厚さ方向に貫通して形成され、前記一対の分割フロート部同士を結合した場合に、液体収容容器の外周部を挟持可能な複数の孔部を形成する複数の孔部構成部と、を備える水中加温処理用フロート。
【請求項９】
前記フロート本体は、前記孔部の周囲に形成され該フロート本体の厚さ方向に立ち上がる立上がり部を備える請求項１〜６のいずれかに記載の水中加温処理用フロート。
【発明の詳細な説明】
【技術分野】
【０００１】
本発明は、血清等の液体を収容した液体収容容器の少なくとも一部を水中に浸漬させて加温処理する場合に用いられる水中加温処理用フロートに関する。
【背景技術】
【０００２】
水中加温処理の一例として、血清調製工程におけるいわゆる非働化処理が挙げられる。この非働化処理とは、血清を収容した容器を加温された水中に浸漬し一定時間保持（例えば、５６℃×３０分）させて血清中の補体を失活させる処理である。この非働化処理等の水中加温処理を確実かつ安定して行うために、従来、水面にフロートを浮かべ、このフロートに血清等の液体を収容した容器を保持させる手段が採用されている。
上記のように用いられる水中加温処理用フロートとしては、フロート本体に該フロート本体の厚さ方向に貫通する円形又は略円形孔部を閉ループ状に形成したものが提案されている（例えば、特許文献１参照）。
【先行技術文献】
【特許文献】
【０００３】
【特許文献１】実開昭６３−１５７２４３号公報
【発明の概要】
【発明が解決しようとする課題】
【０００４】
ところで、水中加温処理用フロートに容器を保持させる場合、保持対象となる容器が一端部側から他端部側に向けて漸次径の大きくなるような外周面を有する容器であれば、該容器を一端部側よりフロート本体の上方から孔部内に差し込むことによって、容器の他端部寄りの外周面部を孔部の内周面で挟持させて該容器をフロート本体に保持させることが可能である。
【０００５】
しかしながら、孔部で挟持される外周面部よりも径の大きい部分が一端部側に存在するような形状の容器を保持対象とする場合には、該容器をフロート本体の上方から差し込んで保持させることができない。従って、従来の水中加温処理用フロートは、保持対象となる容器が上述したような特定形状のものに限定され、汎用性に欠けるものであった。
【０００６】
本発明は、保持対象となる容器形状に制限がなく、汎用性の向上を図ることができる水中加温処理用フロートを提供することを目的とする。
【課題を解決するための手段】
【０００７】
本発明は、水面に浮上可能なフロート本体と、該フロート本体の厚さ方向に貫通して形成され液体収容容器の外周部を挟持可能な孔部と、前記フロート本体の外周面から前記孔部の内周面に向けて形成され前記液体収容容器が通過可能に変形可能なスリット部と、を備える水中加温処理用フロートを提供することにより、上記目的を達成したものである。
【０００８】
また、前記スリット部の幅は、前記フロート本体の外周面側から前記孔部の内周面側に向かって漸次狭くなっていることが好ましい。
【０００９】
また、前記孔部及び前記スリット部は、前記フロート本体に複数形成されていることが好ましい。
【００１０】
また、前記フロート本体は、複数の円弧状の外周面部が周方向に連続して配列されて形成され、前記孔部及び前記スリット部は、周方向に隣接する前記外周面部の端部同士が接して形成される複数の入込部と前記フロート本体の中心部とを結ぶ位置にそれぞれ形成されていることが好ましい。
【００１１】
また、前記孔部は、前記入込部に接するように形成され、前記スリット部は、前記フロート本体に外力が加えられていない状態において閉じていることが好ましい。
【００１２】
また、前記外周面部は、隣り合う２つの前記入込部の中央に位置する頂部と前記フロート本体の中心部とを結ぶ線分が長径となる略楕円形状に形成されることが好ましい。
【００１３】
また、前記フロート本体は、中心部を含む中央フロート部と該中央フロート部の外周に配置される外周フロート部とを備え、前記外周フロート部は、複数の前記孔部及び複数の前記スリット部を有し、前記中央フロート部は、前記中心部に形成された１つの前記孔部及び前記スリット部を有すると共に、前記外周フロート部に対して着脱可能に構成されていることが好ましい。
【００１４】
本発明は、直線状の分割面で分割された一対の分割フロート部により構成され水面に浮上可能なフロート本体と、前記フロート本体における前記一対の分割フロート部の前記分割面が互いに当接した状態で該一対の分割フロート部同士を結合及び分離可能とする分割フロート部結合分離部と、前記一対の分割フロート部それぞれの前記分割面に前記フロート本体の厚さ方向に貫通して形成され、前記一対の分割フロート部同士を結合した場合に、液体収容容器の外周部を挟持可能な複数の孔部を形成する複数の孔部構成部と、を備える水中加温処理用フロートを提供することによっても、上記目的を達成したものである。
【００１５】
また、前記フロート本体は、前記孔部の周囲に形成され該フロート本体の厚さ方向に立ち上がる立上がり部を備えることが好ましい。
【発明の効果】
【００１６】
本発明によれば、保持対象となる容器形状に制限がなく、汎用性の向上を図ることができる水中加温処理用フロートを提供することができる。
【図面の簡単な説明】
【００１７】
【図１】本発明の水中加温処理用フロートの第１実施形態を示す平面図である。
【図２】第１実施形態の水中加温処理用フロートを用いて保持される液体収容容器の一例を示す側面図である。
【図３】第１実施形態の水中加温処理用フロートに液体収容容器を保持させた状態を示す平面図である。
【図４】図３のＸ−Ｘ線断面図である。
【図５】本発明の水中加温処理用フロートの第２実施形態を示す平面図である。
【図６】本発明の水中加温処理用フロートの第３実施形態を示す平面図である。
【図７】本発明の水中加温処理用フロートの第３実施形態の第１変形例を示す平面図である。
【図８】本発明の水中加温処理用フロートの第３実施形態の第２変形例を示す平面図である。
【図９】本発明の水中加温処理用フロートの第４実施形態を示す平面図である。
【図１０】本発明の水中加温処理用フロートの第４実施形態の変形例を示す平面図である。
【図１１】本発明の水中加温処理用フロートの第５実施形態を示す平面図である。
【図１２】本発明の水中加温処理用フロートの第６実施形態を示す平面図である。
【図１３】本発明の水中加温処理用フロートの変形例を示す拡大縦断面図である。
【発明を実施するための形態】
【００１８】
以下、本発明の水中加温処理用フロート１の好ましい各実施形態について、図面を参照しながら説明する。
先ず、本発明の第１実施形態について、図１〜図４を参照しながら説明する。
第１実施形態の水中加温処理用フロート１は、図１に示すように、水面に浮上可能なフロート本体２と、このフロート本体２の厚さ方向に貫通して形成される複数の孔部としての複数の第１孔部３と、フロート本体２の外周面２Ａから複数の第１孔部３の内周面３Ａに向けて形成された複数のスリット部４と、フロート本体２の厚さ方向に貫通して形成されスリット部４が設けられていない複数の第２孔部５と、を備えている。
【００１９】
フロート本体２は、図１に示すように、平面視において略正方形の平板状であり、水よりも比重が軽く、かつ可撓性を有する材料により構成されている。フロート本体２を構成する材料としては、例えば、ポリエチレン、ポリウレタン、ポリ塩化ビニル、ポリプロピレン、ウレタン系スポンジ、合成ゴム、各種エラストマー等の発泡樹脂材料が挙げられる。
【００２０】
複数の第１孔部３は、図１に示すように、正方形状のフロート本体２の各辺長さの中央位置でフロート本体２の各外周面２Ａより少し中心部寄り位置のそれぞれに計４つ形成されている。これら４つの第１孔部３は、平面視において略円形に形成されている。第１孔部３は、後述する液体収容容器としての血液成分収容容器（図２参照）６の外周部を挟持する。
複数の第２孔部５は、フロート本体２の２つの対角線上の４隅部及びフロート本体２の中心部に計５つ形成されている。これら５つの第２孔部５は、第１孔部３よりも径の大きい略円形の閉ループ状に形成されている。第２孔部５は、一端部側から他端部側に向けて漸次径の大きくなるような外周面を有する試験管やマイクロチューブ等を挟持する。
【００２１】
スリット部４は、複数の第１孔部３のそれぞれに計４つ形成されている。これら複数のスリット部４は、図１に示すように、フロート本体２の外周面２Ａ側が最も幅広く、第１孔部３の内周面３Ａに向けて漸次幅狭となる略Ｖ字形状に形成されている。
【００２２】
血液成分収容容器６は、図２に示すように、縦長状で一端側が開口した収容容器本体１５と、この収容容器本体１５の開口に嵌合されるキャップ７と、収容容器本体１５の他端側に設けられる成分採取口１２と、を備える。
収容容器本体１５には、血清等の液性の血液成分が収容される。キャップ７には、このキャップ７の上面から下面に貫通する貫通孔により形成される血液成分導入路８及び血液成分収容容器６内に空気を出入りさせる通気路９が設けられている。
【００２３】
血液成分導入路８には、連結チューブ１０の一端側が接続されており、この連結チューブ１０を介して血清等の血液成分が血液成分収容容器６内に導入される。通気路９には、通気チューブ１１の一端側が接続されており、この通気チューブ１１の他端側には、気体は通過させるが液体や細菌等は通過させない性質を有するフィルタ（図示せず）が接続されている。これら連結チューブ１０及び通気チューブ１１は、血液成分収容容器６内に所定量の血液成分が充填された後は、溶断されかつ溶着されて閉塞されている。これによって、血液成分収容容器６内に収容された血液成分の無菌状態が保たれる。
【００２４】
成分採取口１２は、血液成分収容容器６内に収容された血液成分を採取する場合に使用される。この成分採取口１２は、血液成分収容容器６の他端側から下方に向かって一体に延びる小径の第１中空円筒部１２Ａとこの第１中空円筒部１２Ａよりもやや径が大きく下端が開口する大径の第２中空円筒部１２Ｂと、第２中空円筒部１２Ｂの開口を閉塞するカバー１３と、を備える。また、カバー１３には、成分採取口１２の側方へ突出する開閉操作片１４が一体に連設されている。
【００２５】
次に、第１実施形態の水中加温処理用フロート１を用いて、図２に示した状態の血液成分収容容器６内に収容された血清等の血液成分の非働化処理（５６℃の水中に３０分間浸漬させて血清等の血液成分中の補体を失活させる処理）を行なう態様について、図３及び図４を参照して説明する。
【００２６】
先ず、血液成分収容容器６を、図３及び図４に示すように、上下方向に反転させる。次いで、この上下方向に反転された血液成分収容容器６における成分採取口１２の第１中空円筒部１２Ａを、フロート本体２の外周面２Ａに当接させてスリット部４の幅広の開口部に位置合せした後、血液成分収容容器６をスリット部４に沿って押し込み移動させる。この押し込み移動によって、スリット部４は幅を広げる方向に順次変形されるため、血液成分収容容器６における第１中空円筒部１２Ａはスリット部４を通過移動して第１孔部３内に移入される。血液成分収容容器６における第１中空円筒部１２Ａが第１孔部３内に完全に移入位置されると、スリット部４は元の略Ｖ字形状に復帰し、この復帰に伴い第１中空円筒部１２Ａの外周面部が第１孔部３の内周面部によって挟持される。これにより、血液成分収容容器６がフロート本体２に安定的に保持される。
【００２７】
上記と同様な要領で、図３及び図４に示すように、フロート本体２の４つの第１孔部３のそれぞれに血液成分収容容器６を挟持させ、水中加温処理用フロート１に４つの血液成分収容容器６を保持させる。このとき、必要に応じて径の大きい第２孔部５に、血液成分収容容器６以外の試験管やマイクロチューブ等を挟持させてもよい。
【００２８】
以上の準備作業が完了した後に、フロート本体２を水面上に浮上させて４つの血液成分収容容器６の成分収容部を加温された水中に浸漬させる。これにより、各血液成分収容容器６内部に収容された血液成分（血清）に対する非働化処理（５６℃×３０分）を行い、血液成分（血清）中の補体を失活させる。
【００２９】
上述した構成を有する第１実施形態の水中加温処理用フロート１によれば、以下のような効果を奏する。
フロート本体２の外周面２Ａから第１孔部３の内周面３Ａに向けて血液成分収容容器６の通過を許容する状態に変形可能なスリット部４を設けた。これにより、一端部に第１孔部３で挟持される外周面部（第１中空円筒部１２Ａ）よりも大径の部分（第２中空円筒部１２Ｂ及びカバー１３）が存在する形状の血液成分収容容器６であっても、第１中空円筒部１２Ａを第１孔部３に差し入れ挟持させられる。よって、保持対象となる容器形状に制限がなく、汎用性の向上を図れる。
【００３０】
また、フロート本体２には、４つ（複数）の第１孔部３及びスリット部４を設けた。これにより、フロート本体２に４つ（複数）の血液成分収容容器６を保持させられるので、４つ（複数）の血液成分収容容器６の非働化処理を同時に行うことができる。よって、非働化処理の効率を高められる。
【００３１】
また、スリット部４を略Ｖ字形状に形成した。これにより、血液成分収容容器６をフロート本体２の外周面２Ａ側から第１孔部３内にまで押し込み移動させる場合に、スリット部４が幅を広げる方向に変形しやすくなるので、血液成分収容容器６を第１孔部３に挟持させるための押し込み操作を容易に行うことができる。また、第１孔部３内に血液成分収容容器６の第１中空円筒部１２Ａを位置させた場合に、スリット部４の形状復帰によって第１孔部３の内周面３Ａに近い幅狭部分が密閉される。これにより、第１孔部３の内周面３Ａにより血液成分収容容器６の第１中空円筒部１２Ａの外周部分を強く挟持させることができる。
【００３２】
また、フロート本体２に、血液成分収容容器６以外の試験管やマイクロチューブ等を挟持する第２孔部５を設けた。これにより、水中加温処理用フロート１の汎用性をより一層向上できる。
【００３３】
次に、本発明の水中加温処理用フロート１の第２実施形態〜第５実施形態について説明する。これら第２実施形態〜第５実施形態については、上述した第１実施形態と異なる点を主に説明し、同様な点は同一の符号を付して説明を省略する。特に説明しない点は、第１実施形態についての説明が適宜適用される。
【００３４】
第２実施形態の水中加温処理用フロート１は、図５に示すように、フロート本体２の外周面２Ａからフロート本体２の４箇所に形成された第１孔部３の内周面３Ａに向けて形成されるスリット部４が、全長にわたって狭小な幅を有する直線状に形成されている点において第１実施形態と異なる。
【００３５】
第２実施形態の水中加温処理用フロート１によれば、フロート本体２を厚さ方向に貫通するスリット部４の面積が少なくなるので、第１実施形態に比して浮力が大きくなるので、非働化処理時におけるフロート１の浮上姿勢及び血液成分収容容器６の保持姿勢を安定化できる。
【００３６】
第３実施形態の水中加温処理用フロート１は、図６に示すように、フロート本体２を、略２７０°の中心角を持つ４つの円弧状の外周面部２Ａ１が周方向に連続して配列された外周面を有する形状に構成した点で、第１実施形態と異なる。言い換えれば、第３実施形態の水中加温処理用フロート１は、平面視において略四つ葉のクローバー形状を有している。この水中加温処理用フロート１は、フロート本体２の外周面で周方向に隣接する外周面部２Ａ１，２Ａ１の端部同士が接して形成される４つの入込部２Ａ２を有する。また、４つの第１孔部３は、入込部２Ａ２とフロート本体２の中心部とを結ぶ線上の位置であって、フロート本体２の中心部に近い位置それぞれに形成されている。また、スリット部４は、それぞれ、入込部２Ａ２から第１孔部３の内周面３Ａに向けて形成されている。
【００３７】
４つの外周面部２Ａ１は、それぞれ、直径３０ｍｍ〜５０ｍｍの大きさの円における円弧により構成されることが好ましく、直径４０ｍｍの大きさの円における円弧により構成されることがより好ましい。
【００３８】
第３実施形態の水中加温処理用フロート１によれば、第１孔部３をフロート本体２の中心部に近い位置に形成した。よって、第１孔部３に血液成分収容容器６を保持させた場合における重心バランスを安定化できる。
【００３９】
また、フロート本体２を、４つの円弧状の外周面部２Ａ１を含んで構成した。これにより、フロート本体２を水面上に浮上させた状態で水面に波が発生した場合に、この波の影響を円弧状の曲面により構成された外周面部２Ａ１により分散できるので、水中加温処理用フロート１の揺動を低減できる。よって、水中加温処理用フロート１の水面上での姿勢の安定性をより向上できる。
また、血液成分収容容器６により荷重が負荷される第１孔部３の位置からフロート本体２の外周部に向かう距離を、全方向において大きな差を設けることなく構成できるので、第１孔部３に血液成分収容容器６を保持させた場合における重心バランスを安定化できる。
【００４０】
また、第１孔部３に血液成分収容容器６を挿入する場合、及び血液成分収容容器６を第１孔部３から離脱させる場合における操作性を向上できる。
即ち、第１孔部３に血液成分収容容器６を挿入する場合には、まず、４つの外周面部２Ａ１のうちのいずれか１つを、例えば、親指と人差し指又は中指により両側から把持する。この状態で入込部２Ａ２に血液成分収容容器６をあてて内側に押し込むことで、スリット部４を容易に開口させて血液成分収容容器６を第１孔部３に挿入できる。
一方、血液成分収容容器６を第１孔部３から離脱させる場合には、４つの外周面部２Ａ１のうちのいずれか１つを両側から把持した状態で血液成分収容容器６を入込部２Ａ２側（外側）に押し出すことで、スリット部４を容易に開口させて血液成分収容容器６第１孔部３から容易に離脱させられる。つまり、第３実施形態によれば、隣り合う外周面部２Ａ１の間に形成される入込部２Ａ２にスリット部４を設けたので、このスリット部４を開口させる方向に容易に力を加えられる。
【００４１】
また、水中加温処理用フロート１を４つの外周面部２Ａ１を含んで構成した。よって、水中加温処理用フロート１が四葉のクローバー状の外観を呈するので、美観に優れる。
【００４２】
また、水中加温処理用フロート１を、フロート本体２の中心部を対称点とする点対称に構成した。よって、フロート本体２が波のような外力負荷を受けた場合でも、フロート本体２が特定方向に揺動するのを防止できるので、水中加温処理用フロート１の水面上での姿勢の安定性を更に向上できる。
【００４３】
図７は、第３実施形態の水中加温処理用フロート１の第１変形例を示す図である。第１変形例の水中加温処理用フロート１は、主として、第１孔部３が入込部２Ａ２に接するように形成される点で、第３実施形態の水中加温処理用フロートと異なる。
【００４４】
より具体的には、第１孔部３は、フロート本体２の入込部２Ａ２と中心部との間における入込部２Ａ２の内側に形成される。つまり、第１変形例では、スリット部４の長さは、極めて短く（例えば、３ｍｍ未満に）構成される。このスリット部４は、フロート本体２に外力が加えられていない通常状態では閉じた状態となっている。そして、第１孔部３は、スリット部４が閉じた状態では、平面視において、欠けることのない円形に構成されている。
【００４５】
また、第１変形例の水中加温処理用フロート１の外形は、図７に示すように、同径（例えば直径４０ｍｍ）の４つの円が接した形状を有している。従って、第１変形例の水中加温処理用フロート１では、４つの入込部２Ａ２は、第３実施形態の水中加温処理用フロート１に比して、フロート本体２の中央部に寄って配置されている。これにより、４つの入込部２Ａ２それぞれの内側に接するように形成される４つの第１孔部３もフロート本体２の中央部に寄って配置される。
【００４６】
より具体的には、第１変形例では、４つの第１孔部３は、直径８ｍｍの円形に形成されており、フロート本体２の中心部を挟んで対向する２つの第１孔部３の中心間の距離Ｌ１は、３２ｍｍとなっている。また、フロート本体２における対向する２つの第１孔部３を結ぶ方向に沿う方向の長さＬ２は、８０ｍｍとなっている。
ここで、第１孔部３に血液成分収容容器６を保持させた場合におけるフロート本体２の中心部を挟んで対向する２つの第１孔部３の中心間の距離Ｌ１と、フロート本体２における対向する２つの第１孔部３を結ぶ方向に沿う方向の長さＬ２と、の関係（Ｌ１／Ｌ２（％））は、２５％から５０％の範囲であるのが好ましく、３５％から４５％の範囲であるのがより好ましい。前記Ｌ１とＬ２の関係が５０％を超えれば、フロート本体２の重心バランスをより良好に保てなくなる可能性がある。また、前記Ｌ１とＬ２の関係が２５％未満であれば、例えば、複数の第１孔部３に血液成分収容容器６を保持させた場合、各血液成分収容容器６による干渉が生じる可能性がある。
【００４７】
第１変形例の水中加温処理用フロート１によれば、第１孔部３を入込部２Ａ２に接するように形成した。これにより、スリット部４の長さを短く構成できるので、第１孔部３に血液成分収容容器６を挿入する場合、及び血液成分収容容器６を離脱させる場合における操作性を向上できる。また、スリット部４を、通常状態において閉じるように構成した。よって、第１孔部３による血液成分収容容器６の挟持性を向上できる。
【００４８】
また、水中加温処理用フロート１の外形を、４つの円が接した形状に構成した。これにより、入込部２Ａ２の位置をフロート本体２のより中央部側に配置できるので、入込部２Ａ２に接するように形成される第１孔部３をよりフロート本体２の中心部に近い位置に配置できる。よって、第１孔部３に血液成分収容容器６を保持させた場合における重心バランスをより安定化できる。
【００４９】
図８は、第３実施形態の水中加温処理用フロート１の第２変形例を示す図である。第２変形例の水中加温処理用フロート１は、外周面部２Ａ１の形状において第１変形例の水中加温処理用フロート１と異なる。
より具体的には、第２変形例では、外周面部２Ａ１は、図８に示すように、隣り合う２つの入込部２Ａ２の中央に位置する頂部と前記フロート本体の中心部とを結ぶ直線が長径となる略楕円形状に形成される。従って、第２変形例の水中加温処理用フロート１では、４つの入込部２Ａ２は、第１変形例の水中加温処理用フロート１に比して、更にフロート本体２の中央部に寄って配置されている。これにより、４つの入込部２Ａ２それぞれの内側に接するように形成される４つの第１孔部３もフロート本体２の中央部に寄って配置される。より具体的には、第２変形例では、４つの第１孔部３は、直径８ｍｍの円形に形成されており、フロート本体２の中心部を挟んで対向する２つの第１孔部３の中心間の距離Ｌ３は、２０ｍｍとなっている。また、フロート本体２における対向する２つの第１孔部３を結ぶ方向に沿う方向の長さＬ４は、８０ｍｍとなっている。
【００５０】
尚、フロート本体２の中心部を挟んで対向する２つの第１孔部３の中心間の距離Ｌ３は、第１孔部３に血液成分収容容器６を安定的に挟持させる観点から、２０ｍｍ以上であることが好ましい。フロート本体２の中心部を挟んで対向する２つの第１孔部３の中心間の距離Ｌ３が２０ｍｍ未満の場合には、これら２つの第１孔部３に挟持された血液成分収容容器６が干渉してしまうおそれがある。
【００５１】
第２変形例の水中加温処理用フロート１によれば、外周面部２Ａ１を、頂部と前記フロート本体の中心部とを結ぶ直線が長径となる略楕円形状に形成した。これにより、入込部２Ａ２の位置をフロート本体２の更に中央部側に配置できるので、入込部２Ａ２に接するように形成される第１孔部３を更にフロート本体２の中心部に近い位置に配置できる。よって、第１孔部３に血液成分収容容器６を保持させた場合における重心バランスを更に安定化できる。
【００５２】
また、フロート本体２の中心部を挟んで対向する２つの第１孔部３の中心間の距離Ｌ３を２０ｍｍ以上に構成した。よって、第１孔部３に血液成分収容容器６を保持させた場合における水中加温処理用フロート１の重心バランスを安定化しつつ、第１孔部３に挟持された血液成分収容容器６の干渉を防げる。
【００５３】
第４実施形態の水中加温処理用フロート１は、図９に示すように、フロート本体２が略円形部分２１と触覚を備えた頭部分２２とを有し全体が略蝸牛形状に形成されている。この略蝸牛形状のフロート本体２の前記略円形部分２１にスリット部４を渦巻き状に形成し、該渦巻き状のスリット部４の渦巻きの途中部分に複数、具体的には、４つの第１孔部３が形成されている。
【００５４】
第４実施形態の水中加温処理用フロート１によれば、渦巻き状のスリット部４の途中に４つの第１孔部３を形成した。これにより、例えば、１つ又は２つの血液成分収容容器６をフロート本体２に保持させて用いる場合、重心バランスを考慮しての血液成分収容容器６を任意の位置の第１孔部３に差し込み保持させられる。
【００５５】
尚、第４実施形態においては、図９に示すように、第１孔部３を、スリット部４により分断される２つの略半円形状の孔部を合致させて略円形形状に構成したがこれに限らない。即ち、図１０に示すように、第１孔部３を、略円形の第１孔部３の周縁の一箇所がスリット部４に接するように設けてもよい。これにより、第１孔部３による血液成分収容容器６の保持性を向上できる。
【００５６】
第５実施形態の水中加温処理用フロート１は、図１１に示すように、フロート本体２を、このフロート本体２の中心部を含む円形の中央フロート部２３と、この中央フロート部２３の外周を取り囲む正方形状の外周フロート部２４とに分割可能に構成している。外周フロート部２４の中央部には、中央フロート部２３を嵌合保持及び離脱可能とする円形孔２３１が形成されている。第１孔部３は、外周フロート部２４の円形孔２３１の内周面に近い箇所に円周方向に等間隔で４つ形成されている。スリット部４は、円形孔２３１の内周面から４つの第１孔部３に向かってそれぞれ形成されている。
中央フロート部２３の中心部には、第１孔部３が形成されている。スリット部４は、中央フロート部２３の外周面から第１孔部３に向かって径方向に延びて形成されている。
【００５７】
第５実施形態の水中加温処理用フロート１によれば、フロート本体２を、中央フロート部２３と外周フロート部２４との２つに分割可能に構成し、中央フロート部２３及び外周フロート部２４それぞれに第１孔部３及びスリット部４を設けた。これにより、非働化処理に供する血液成分収容容器６の数が１つの場合は、中央フロート部２３を単独使用し、また、２つ以上の場合は、中央フロート部２３を外周フロート部２４の円形孔２３１内に嵌合保持させて併用するといった具合に、非働化処理に供する血液成分収容容器６の数に応じて中央フロート部２３の単独使用状態と中央フロート部２３及び外周フロート部２４の併用使用状態とを使い分けることができる。また、非働化処理に供する血液成分収容容器６の数に応じて血液成分収容容器を保持させる第１孔部３の位置を調節することで、水中加温処理用フロート１の重心バランスを安定化できる。
また、中央フロート部２３の円形孔２３１に、血液成分収容容器６以外の比較的外径の大きい試験管やマイクロチューブ等を挟持させてもよい。これにより、水中加温処理用フロート１の汎用性をより一層向上できる。
【００５８】
次に、本発明の水中加温処理用フロートの第６実施形態について図１２を参照しながら説明する。
第６実施形態の水中加温処理用フロート１は、図１２に示すように、直線状の分割面に沿い二分割された一対の分割フロート部２５，２６からなる水面に浮上可能なフロート本体２と、このフロート本体２における一対の分割フロート部２５，２６の分割面２５Ａ，２６Ａが互いに当接した状態で一対の分割フロート部２５，２６同士を一体に結合及び分離可能とする分割フロート部結合分離部と、一対の分割フロート部２５，２６それぞれの分割面２５Ａ，２６Ａにフロート本体２の厚さ方向に貫通して形成される複数の孔部構成部３１，３２と、を備える。
【００５９】
一対の分割フロート部２５，２６は、共に帯板形状に形成され、第１実施形態と同様に、水よりも比重の軽くかつ可撓性を有する材料から構成されている。
【００６０】
孔部構成部３１，３２は、図１２に示すように、分割面２５Ａ，２６Ａの長手方向に沿って等間隔おきに４つ形成されており、平面視において略半円形状を有している。孔部構成部３１，３２は、一対の分割フロート部２５，２６同士が結合されたとき、血液成分収容容器６における成分採取口１２の第１中空円筒部１２Ａを挟持可能な略円形の第１孔部３を形成する。
【００６１】
図１２に示すように、分割フロート部結合分離部は、一対の係合突起２７と、一対の被係合孔２８とにより構成される。一対の係合突起２７は、鍵穴形状を有しており、一対の分割フロート部２５，２６のうち、一方の分割フロート部２５の分割面２５Ａの長手方向両端部に設けられる。一対の被係合孔２８は、係合突起２７の形状に対応する鍵穴形状を有しており、他方の分割フロート部２６の分割面２６Ａの長手方向両端部に設けられる。これら係合突起２７と被係合孔２８とにより、一対の分割フロート部２５，２６は、結合及び分離可能となっている。
【００６２】
上述した構成を有する第６実施形態の水中加温処理用フロート１によれば、一対の分割フロート部２５，２６同士を分離させた状態で、孔部構成部３１又は３２に血液成分収容容器６おける成分採取口１２の第１中空円筒部１２Ａの略半分を嵌め込んだ後、係合突起２７を被係合孔２８に押込み係合させて一対の分割フロート部２５，２６同士を一体に結合する。この結合によって、略半円形の孔部構成部３１、３２の開口が閉じられて略円形の第１孔部３を形成することになり、この第１孔部３に血液成分収容容器６おける成分採取口１２の第１中空円筒部１２Ａが挟持される。このように、一端部に第１孔部３で挟持される外周面部（第１中空円筒部１２Ａ）よりも径の大きい部分（第２中空円筒部１２Ｂ及びカバー１３）が存在する形状の血液成分収容容器６であっても、第１孔部３に挟持させて使用することが可能である。よって、保持対象となる容器形状に制限がなく、汎用性の向上を図ることができる。
【００６３】
また、一対の分割フロート部２５，２６にそれぞれ直線状の分割面２５Ａ，２６Ａを設けた。これにより、直線状の分割面２５Ａ，２６Ａ間に、例えば採血バッグ等の袋状容器（図示せず）を挟持させて水中加温処理等に用いることが可能であり、汎用性をより向上できる。
【００６４】
以上、本発明をその好ましい実施形態及び実施態様に基づいて説明したが、本発明は上記各実施形態及び実施態様には制限されることなく、適宜変更可能である。
例えば、上述した各実施形態では、フロート本体２を平板状に形成したがこれに限らない。即ち、図１３に示すように、フロート本体２に形成される第１孔部３の周囲に、該第１孔部３に挟持された血液成分収容容器６おける成分採取口１２の第２中空円筒部１２Ｂ及びカバー１３の外周を取り囲む立上がり部３３を形成してもよい。これにより、血液成分収容容器６を水中に浸漬させて非働化処理する際、周囲に飛散した水が血液成分収容容器６おける成分採取口１２の第２中空円筒部１２Ｂ及びカバー１３に降りかかることを防止できる。
【００６５】
また、フロート本体２の構成材料として、上記各実施形態では、例えばポリウレタン、ポリ塩化ビニル、ポリプロピレン、ウレタン系スポンジ、合成ゴム、各種エラストマー等の発泡樹脂材料を用いたが、これに限らない。即ち、フロート本体２の構成材料として、空気を充填することで水面に浮上可能とした袋状のものを用いてもよい。
【００６６】
また、フロート本体２は、平面視において正方形状や長方形状のものに限らず、円形状や楕円形状等のいかなる形状のものであってもよい。
【００６７】
また、フロート１への保持対象となる液体収容容器として、上記各実施形態では、血液成分収容容器を用いたが、これ以外に、水中での加温処理に用いられるものであれば、どのような形態の容器にも適用可能である。
【００６８】
また、フロート本体２に形成する第１孔部３及びスリット部４の数は、４つに限らず、１つでも、２つや３つでも、更には５つ以上であってもよい。また、第１孔部３及びスリット部４の配置については、水中加温処理用フロート全体における重心バランスが安定するような配置であれば特に制限はない。
【符号の説明】
【００６９】
１  水中加温処理用フロート
２  フロート本体
２Ａ  フロート本体の外周面
２３  中央フロート部
２４  外周フロート部
２５，２６  分割フロート部
２５Ａ，２６Ａ  分割面
２７  係合突起（分割フロート部結合分離部）
２８  被係合孔（分割フロート部結合分離部）
３  第１孔部
３Ａ  第１孔部の内周面
３１，３２  孔部構成部
３３  立ち上がり部
４  スリット部
６  血液成分収容容器（液体収容容器）
【図１】
2010227552.tif 000003
【図２】
2010227552.tif 000004
【図３】
2010227552.tif 000005
【図４】
2010227552.tif 000006
【図５】
2010227552.tif 000007
【図６】
2010227552.tif 000008
【図７】
2010227552.tif 000009
【図８】
2010227552.tif 000010
【図９】
2010227552.tif 000011
【図１０】
2010227552.tif 000012
【図１１】
2010227552.tif 000013
【図１２】
2010227552.tif 000014
【図１３】
2010227552.tif 000015